(57)【特許請求の範囲】
【請求項１】
開口部が設けられた筐体と、
前記筐体に収容された場合に前記開口部を覆い、前記筐体に収容されたアンテナを支持可能なアンテナホルダと、前記筐体に収容された場合に前記開口部を介してカードが挿入されるカードホルダと、を択一的に固定可能に、前記筐体の内部に設けられた固定部と、
を備え、
前記筐体の内部に設けられ、前記アンテナと接触した場合には前記アンテナの移動を制限し、前記カードと接触した場合には前記カードの移動を案内する爪部を備えた、電子機器。
【請求項２】
前記固定部は、第１のボスと、前記第１のボスと離間した第２のボスと、を有し、
前記爪部は、前記第１のボスから前記第２のボスに向かう方向で前記第１のボスと前記第２のボスとの間に位置された、請求項１に記載の電子機器。
【請求項３】
開口部が設けられた筐体と、
前記筐体に収容された場合に前記開口部を覆い、前記筐体に収容されたアンテナを支持可能なアンテナホルダと、前記筐体に収容された場合に前記開口部を介してカードが挿入されるカードホルダと、を択一的に固定可能に、前記筐体の内部に設けられた固定部と、
を備え、
前記カードホルダは、前記カードが挿入されるカード収容部と、前記カード収容部に挿入される前記カードの移動を案内するガイド部と、を有した、電子機器。
【請求項４】
開口部が設けられた筐体と、
前記筐体に収容された場合に前記開口部を覆い、前記筐体に収容されたアンテナを支持可能なアンテナホルダと、前記筐体に収容された場合に前記開口部を介してカードが挿入されるカードホルダと、を択一的に固定可能に、前記筐体の内部に設けられた固定部と、
を備え、
前記アンテナホルダは、前記アンテナと接触することにより前記アンテナを支持する接触部を有した、電子機器。
【請求項５】
前記カードホルダは、前記カードが挿入されるカード収容部と、前記カード収容部に挿入される前記カードの移動を案内するガイド部と、を有した、請求項１，２，４のうちいずれか一つに記載の電子機器。
【発明の詳細な説明】
【技術分野】
【０００１】
本発明は、電子機器に関する。
【背景技術】
【０００２】
従来、筐体と、筐体に収容された部品と、を備える電子機器が知られている。
【先行技術文献】
【特許文献】
【０００３】
【特許文献１】特開２０１３−１３０９６９号公報
【発明の概要】
【発明が解決しようとする課題】
【０００４】
この種の電子機器においては、例えば、搭載される部品をユーザーが選択可能な受注生産（ＢＴＯ）が行なわれることがある。この場合、部品の違いや有無に応じて筐体を設定すると、筐体の種類が多くなってしまうという問題がある。
【０００５】
そこで、本発明の課題の一つは、筐体の種類が多くなるのを抑制しやすい新規な構成の電子機器を得ることである。
【課題を解決するための手段】
【０００６】
本発明の第１の態様にかかる電子機器は、開口部が設けられた筐体と、前記筐体に収容された場合に前記開口部を覆い、前記筐体に収容されたアンテナを支持可能なアンテナホルダと、前記筐体に収容された場合に前記開口部を介してカードが挿入されるカードホルダと、を択一的に固定可能に、前記筐体の内部に設けられた固定部と、を備える。
【０００７】
前記電子機器は、例えば、前記筐体の内部に設けられ、前記アンテナと接触した場合には前記アンテナの移動を制限し、前記カードと接触した場合には前記カードの移動を案内する爪部を備える。
【０００８】
前記電子機器では、例えば、前記固定部は、第１のボスと、前記第１のボスと離間した第２のボスと、を有し、前記爪部は、前記第１のボスから前記第２のボスに向かう方向で前記第１のボスと前記第２のボスとの間に位置されている。
【０００９】
前記電子機器では、例えば、前記カードホルダは、前記カードが挿入されるカード収容部と、前記カード収容部に挿入される前記カードの移動を案内するガイド部と、を有する。
【００１０】
前記電子機器では、例えば、前記アンテナホルダは、前記アンテナと接触することにより前記アンテナを支持する接触部を有する。
【発明の効果】
【００１１】
本発明の上記態様によれば、筐体の種類が多くなるのを抑制しやすい新規な構成の電子機器を得ることができる。
【図面の簡単な説明】
【００１２】
【図１】図１は、実施形態の第１の電子機器の正面側からの例示的な斜視図であって、ディスプレイ部が展開位置に位置された状態の図である。
【図２】図２は、実施形態の第１の電子機器におけるベース部の上側からの例示的な斜視図であって、ベース部の一部の図示が省略された図である。
【図３】図３は、実施形態の第１の電子機器におけるベース部の下側からの例示的な側面図であって、ベース部の一部の図示が省略された図である。
【図４】図４は、実施形態の第１の電子機器におけるベース部の下側からの例示的な分解斜視図である。
【図５】図５は、実施形態の第１の電子機器におけるアッパーカバーの一部およびアッパーカバーの一部に取り付けられた部品との下側からの斜視図である。
【図６】図６は、実施形態の第１の電子機器におけるアッパーカバーの下側からの斜視図である。
【図７】図７は、実施形態の第１の電子機器におけるアッパーカバーの一部の下側からの斜視図である。
【図８】図８は、実施形態の第１の電子機器における左前側アンテナの下側からの斜視図である。
【図９】図９は、実施形態の第１の電子機器における左前側アンテナの上側からの斜視図である。
【図１０】図１０は、図５のＦ１０−Ｆ１０線に沿った第１の電子機器の一部の断面図である。
【図１１】図１１は、実施形態の第１の電子機器における左側アンテナの下側からの斜視図である。
【図１２】図１２は、実施形態の第１の電子機器における左側アンテナの上側からの斜視図である。
【図１３】図１３は、実施形態の第１の電子機器におけるアンテナホルダの下側からの斜視図である。
【図１４】図１４は、実施形態の第１の電子機器におけるアンテナホルダの上側からの斜視図である。
【図１５】図１５は、図５のＦ１５−Ｆ１５線に沿った第１の電子機器の一部の断面図である。
【図１６】図１６は、実施形態の第２の電子機器におけるアッパーカバーの一部とアッパーカバーの一部に取り付けられた部品との底面図である。
【図１７】図１７は、実施形態の第３の電子機器におけるアッパーカバーの一部とアッパーカバーの一部に取り付けられた部品との下側からの斜視図である。
【図１８】図１８は、実施形態の第３の電子機器におけるカードホルダの下側からの斜視図である。
【図１９】図１９は、実施形態の第３の電子機器におけるカードホルダの上側からの斜視図である。
【図２０】図２０は、図１７のＦ２０−Ｆ２０線に沿った第３の電子機器の一部の断面図である。
【図２１】図２１は、図１７のＦ２１−Ｆ２１線に沿った第３の電子機器の一部の断面図である。
【図２２】図２２は、実施形態の変形例の電子機器の正面側からの例示的な斜視図である。
【発明を実施するための形態】
【００１３】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１４】
なお、本明細書では、序数は、部品や、部材、部位、位置、方向等を区別するためだけに用いられており、順番や優先度を示すものではない。また、図面において、部分間の大きさ（長さ、幅、高さ、厚さ）の比率や位置関係等は、必ずしも現実のものと同一とは限らない。
【００１５】
（電子機器１の概要）
図１は、実施形態の第１の電子機器１Ａの正面側からの例示的な斜視図であって、ディスプレイ部３が展開位置に位置された状態の図である。
【００１６】
図１に示される第１の電子機器１Ａは、第１の仕様の電子機器１である。電子機器１には、第１の電子機器１Ａの他に、第１の電子機器１Ａに対して、仕様が異なる第２の電子機器１Ｂ（図１６）および第３の電子機器１Ｃ（図１７）がある。すなわち、電子機器１は、第１の電子機器１Ａ、第２の電子機器１Ｂ、および第３の電子機器１Ｃの総称である。電子機器１は、ノートブック型（クラムシェル型）のパーソナルコンピュータとして構成されている。なお、電子機器１は、上記例には限定されず、例えば、デスクトップ型のパーソナルコンピュータや、タブレット型のパーソナルコンピュータ、映像電子機器、テレビジョン受像機、ゲーム機等であってもよい。以下では、電子機器１の代表として第１の電子機器１Ａを詳細に説明し、第２の電子機器１Ｂおよび第３の電子機器１Ｃについては、第１の電子機器１Ａに対する相違点を主に説明する。
【００１７】
（第１の電子機器１Ａ）
図１に示されるように、第１の電子機器１Ａは、ベース部２と、ディスプレイ部３と、を備える。ベース部２は、例えば机や、台、棚等の載置部の平面（不図示）に載置される。ディスプレイ部３は、ベース部２に対して回転中心軸Ｃ回りに回転可能にベース部２に支持され、展開位置（図１）と閉じ位置（不図示）との間を移動可能である。具体的には、ディスプレイ部３は、ヒンジ５を介してベース部２に連結されている。
【００１８】
本実施形態では、便宜上、互いに直交する三方向が定義されている。Ｘ方向は、ベース部２の奥行方向（前後方向、短手方向）に沿い、Ｙ方向は、ベース部２の幅方向（左右方向、長手方向）に沿い、Ｚ方向は、ベース部２の高さ方向（上下方向、厚さ方向）に沿う。また、以下の説明では、Ｘ方向は前方、Ｘ方向の反対方向は後方とも称され、Ｙ方向は左方、Ｙ方向の反対方向は右方とも称され、Ｚ方向は上方、Ｚ方向の反対方向は下方とも称される。
【００１９】
ベース部２は、第１の筐体１１と、第１の筐体１１に支持されたキーボード１２と、を有する。キーボード１２は、上方から操作可能な状態に第１の筐体１１に支持されている。
【００２０】
ディスプレイ部３は、第２の筐体２１と、ディスプレイユニット２２と、を有する。ディスプレイユニット２２は、表示画面２２ａが前方から視認可能な状態に、第２の筐体２１に支持されている。
【００２１】
ディスプレイ部３が展開位置（図１）に位置した状態では、第１の筐体１１の上面１１ａおよびキーボード１２と、第２の筐体２１の前面２１ａおよびディスプレイユニット２２の表示画面２２ａとが対向せず、第１の筐体１１の上面１１ａ、キーボード１２、第２の筐体２１の前面２１ａ、ディスプレイユニット２２の表示画面２２ａが露出する。このとき、第２の筐体２１の前面２１ａおよび後面２１ｂは、それぞれ、前方および後方を向く。
【００２２】
一方、ディスプレイ部３が閉じ位置に位置した状態では、第１の筐体１１の上面１１ａおよびキーボード１２と、第２の筐体２１の前面２１ａおよびディスプレイユニット２２の表示画面２２ａとが対向する。
【００２３】
次に、ベース部２について詳細に説明する。図２は、実施形態の第１の電子機器１Ａにおけるベース部２の上側からの例示的な斜視図であって、ベース部２の一部の図示が省略された図である。図３は、実施形態の第１の電子機器１Ａにおけるベース部２の下側からの例示的な側面図であって、ベース部２の一部の図示が省略された図である。図４は、実施形態の第１の電子機器１Ａにおけるベース部２の下側からの例示的な分解斜視図である。図５は、実施形態の第１の電子機器１Ａにおけるアッパーカバー１４の一部およびアッパーカバー１４の一部に取り付けられた部品との下側からの斜視図である。
【００２４】
図２〜図５に示されるように、ベース部２の第１の筐体１１は、右前側アンテナ４１Ａと、左前側アンテナ４１Ｂと、左側アンテナ４１Ｃと、メイン基板（不図示）と、を収容している。右前側アンテナ４１Ａおよび左前側アンテナ４１Ｂは、第４世代移動通信システム（以後、４Ｇ通信とも称する）および第５世代移動通信システム（以後、５Ｇ通信とも称する）用である。すなわち、右前側アンテナ４１Ａおよび左前側アンテナ４１Ｂは、４Ｇ通信と５Ｇ通信との共用アンテナである。左側アンテナ４１Ｃは、５Ｇ通信用である。以後、右前側アンテナ４１Ａ、左前側アンテナ４１Ｂ、および左側アンテナ４１Ｃの総称としてアンテナ４１を用いる。各アンテナ４１は、メイン基板に電気的に接続されている。メイン基板には、ＣＰＵ（Central  Processing  Unit）や、ＲＯＭ（Read  Only  Memory）、ＲＡＭ（Random  Access  Memory）等の複数の電子部品（不図示）が実装されている。メイン基板に設けられた配線とメイン基板に実装された複数の電子部品とによって、電子機器１の電子回路の少なくとも一部が構成されている。
【００２５】
図１〜図４に示されるように、第１の筐体１１の形状は、上下方向に扁平な略直方体である。第１の筐体１１は、例えば、下壁１１ｃや、上壁１１ｄ、前壁１１ｅ、後壁１１ｆ、左壁１１ｇ、右壁１１ｈ等の複数の壁を有する。
【００２６】
下壁１１ｃは、下面１１ｂを含み、上壁１１ｄは、上面１１ａを含む。下壁１１ｃおよび上壁１１ｄは、いずれも、Ｚ方向と直交する方向（ＸＹ平面）に沿って延びており、Ｚ方向に間隔をあけて互いに平行に設けられている。
【００２７】
前壁１１ｅおよび後壁１１ｆは、いずれも、Ｘ方向と直交する方向（ＹＺ平面）に沿って延びており、Ｘ方向に間隔をあけて互いに平行に設けられている。前壁１１ｅおよび後壁１１ｆは、それぞれ、第１の筐体１１の前端部１１ｉおよび後端部１１ｊを構成している。前端部１１ｉは、回転中心軸Ｃと離間している。後端部１１ｊは、前端部１１ｉに対して回転中心軸Ｃ側に設けられている。
【００２８】
左壁１１ｇおよび右壁１１ｈは、いずれも、Ｙ方向と直交する方向（ＸＺ平面）に沿って延びており、Ｙ方向に間隔をあけて互いに平行に設けられている。左壁１１ｇおよび右壁１１ｈは、それぞれ、第１の筐体１１の左端部１１ｋおよび右端部１１ｍを構成している。
【００２９】
また、第１の筐体１１には、四つの角部１１ｎａ〜１１ｎｄが設けられている。角部１１ｎａは、前壁１１ｅと左壁１１ｇとの交差部によって構成されている。すなわち、角部１１ｎａは、前壁１１ｅと左壁１１ｇとの間に設けられている。角部１１ｎｂは、左壁１１ｇと後壁１１ｆとの交差部によって構成されている。すなわち、角部１１ｎｂは、左壁１１ｇと後壁１１ｆとの間に設けられている。角部１１ｎｃは、後壁１１ｆと右壁１１ｈとの交差部によって構成されている。すなわち、角部１１ｎｃは、後壁１１ｆと右壁１１ｈとの間に設けられている。角部１１ｎｄは、右壁１１ｈと前壁１１ｅとの交差部によって構成されている。すなわち、角部１１ｎｄは、右壁１１ｈと前壁１１ｅとの間に設けられている。
【００３０】
図６は、実施形態の第１の電子機器１Ａにおけるアッパーカバー１４の下側からの斜視図である。図１、図４、および図６に示されるように、第１の筐体１１は、ロアカバー１３と、アッパーカバー１４と、を含む複数の部材の組み合わせによって構成されている。ロアカバー１３は、少なくとも下壁１１ｃを含む。アッパーカバー１４は、少なくとも上壁１１ｄを含む。
【００３１】
また、第１の筐体１１は、金属部１５と、右前側樹脂部１６Ａと、左前側樹脂部１６Ｂと、左側樹脂部１６Ｃと、を有する。金属部１５は、金属材料によって構成されて、導電性を有する。右前側樹脂部１６Ａ、左前側樹脂部１６Ｂ、および左側樹脂部１６Ｃは、それぞれ、合成樹脂材料によって構成されて、絶縁性を有する。以後、右前側樹脂部１６Ａ、左前側樹脂部１６Ｂ、および左側樹脂部１６Ｃの総称として、樹脂部１６を用いる。金属部１５と各樹脂部１６とは、Ｚ方向すなわち第１の筐体１１の高さ方向と交差する方向（Ｘ方向やＹ方向）に隣接している。金属部１５と樹脂部１６とは、インサート成形（ハイブリット成形）等によって作られる。
【００３２】
金属部１５は、キーボード１２を支持するとともに、メイン基板を収容している。金属部１５は、下壁１１ｃ、上壁１１ｄ、前壁１１ｅ、左壁１１ｇ、および右壁１１ｈのそれぞれの一部と、後壁１１ｆと、角部１１ｎｂ，１１ｎｃと、を含む。金属部１５は、ロアカバー１３に含まれるロア部１５ａと、アッパーカバー１４に含まれるアッパー部１５ｂと、を有する。また、また、図３に示されるように、金属部１５は、三つの接続縁部１５ｃ〜１５ｅを有する。接続縁部１５ｃは、右前側樹脂部１６Ａと接続されている。接続縁部１５ｄは、左前側樹脂部１６Ｂと接続されている。接続縁部１５ｅは、左側樹脂部１６Ｃと接続されている。接続縁部１５ｃ〜１５ｅは、接続部や接合部とも称される。
【００３３】
図４に示されるように、各樹脂部１６は、それぞれ、アンテナ４１を収容している。詳細には、右前側樹脂部１６Ａは、右前側アンテナ４１Ａを収容している。左前側樹脂部１６Ｂは、左前側アンテナ４１Ｂを収容している。左側樹脂部１６Ｃは、左側アンテナ４１Ｃを収容している。このように、樹脂部１６にアンテナ４１が収容されることにより、アンテナ４１は、樹脂部１６を介して電波を送受信することができる。
【００３４】
図１〜図４に示されるように、右前側樹脂部１６Ａは、下壁１１ｃ、上壁１１ｄ、前壁１１ｅ、および右壁１１ｈのそれぞれの一部と、角部１１ｎｄと、を含む。左前側樹脂部１６Ｂは、下壁１１ｃ、上壁１１ｄ、前壁１１ｅ、および左壁１１ｇのそれぞれの一部と、角部１１ｎａと、を有する。左側樹脂部１６Ｃは、下壁１１ｃ、上壁１１ｄ、および左壁１１ｇのそれぞれの一部を有する。また、各樹脂部１６は、ロアカバー１３に含まれるロア部１６ａと、アッパーカバー１４に含まれるアッパー部１６ｂと、を有する。図６に示されるように、各樹脂部１６のアッパー部１６ｂは、それぞれ、突起５１，５３，５５と、爪部５２，５４，５６と、を有する。突起５１，５３，５５および爪部５２，５４，５６は、それぞれ、各樹脂部１６に含まれる上壁１１ｄの内面１１ｐからＺ方向の反対方向に突出している。突起５１，５３，５５は、アンテナ４１のＺ方向と交差する方向の位置決めを行うことができる。爪部５２，５４，５６は、アンテナ４１と引っ掛かることにより、Ｚ方向の反対方向へのアンテナ４１の移動を制限することができる。爪部５６は、ベース５６ａ（図７および図２０）と、ベース５６ａから張り出した張出部５６ｂ（図７および図２０）と、を有する。
【００３５】
図７は、実施形態の第１の電子機器１Ａにおけるアッパーカバー１４の一部の下側からの斜視図である。アッパーカバー１４には、固定部９０が設けられている。固定部９０は、複数種類の部品を択一的（選択的）に固定可能である。部品は、第１の電子機器１Ａでは、左側アンテナ４１Ｃを支持するアンテナホルダ７０（図５）であり、第３の電子機器１Ｃでは、カード１００（図２０）が挿入されるカードホルダ８０（図１７）である。
【００３６】
固定部９０は、二つのボス６１，６２と、突起６６と、二つの突起６７と、二つの突起６８と、を有する。ボス６１，６２および突起６６，６７，６８は、それぞれ、金属部１５のアッパー部１５ｂにおける上壁１１ｄの内面１１ｐからＺ方向の反対方向に突出している。ボス６１は、第１のボスの一例であり、ボス６２は、第２のボスの一例である。
【００３７】
二つの突起６７は、Ｘ方向に間隔を空けて設けられている。二つの突起６８は、二つの突起６７に対してＹ方向側で、Ｘ方向に間隔を空けて設けられている。二つのボス６１，６２は、二つの突起６８に対してＹ方向側で、Ｘ方向に間隔を空けて設けられている。ボス６１は、ボス６２よりもＸ方向に位置されている。二つのボス６１，６２の間には、左側樹脂部１６Ｃのアッパー部１６ｂおよび爪部５６が位置されている。爪部５６は、ボス６１からボス６２に向かう方向でボス６１とボス６２との間に位置されている。各ボス６１，６２は、円筒状に形成されているとともに、内周面に雌ネジが形成されている。すなわち、ボス６１，６２は、雌ネジ部材である。突起６６は、ボス６２のＸ方向の反対方向側に位置されている。
【００３８】
次に、アンテナ４１について説明する。各アンテナ４１は、同様の要素を有し、各アンテナには同様の要素が付随する。同様の要素には、同一の符号を付与する。以下では、複数のアンテナ４１のうち左前側アンテナ４１Ｂおよび左側アンテナ４１Ｃについて詳細に説明する。
【００３９】
図８は、実施形態の電子機器１における左前側アンテナ４１Ｂの下側からの斜視図である。図９は、実施形態の電子機器１における左前側アンテナ４１Ｂの上側からの斜視図である。
【００４０】
図８および図９に示されるように、左前側アンテナ４１Ｂは、ベース部４１ａと、固定部４１ｃと、通信部（不図示）と、を有する。右前側アンテナ４１Ａは、平面視で略直線状をなすように構成されている。
【００４１】
ベース部４１ａは、ベース壁４１ｄと、立壁４１ｅと、を有する。ベース壁４１ｄは、Ｚ方向と直交する方向（ＸＹ平面）に沿って延びている。ベース壁４１ｄには、突起４１ｈと、二つの孔４１ｆ，４１ｇが設けられている。突起４１ｈは、ベース壁４１ｄからＺ方向の反対方向に突出している。二つの孔４１ｆ，４１ｇは、ベース壁４１ｄの高さ方向にベース壁４１ｄを貫通している。立壁４１ｅは、ベース壁４１ｄからＺ方向の反対方向に延びている。また、ベース部４１ａには、導電部材４３，４４が接着等によって固定されている。ベース部４１ａは、合成樹脂材料によって構成されている。固定部４１ｃは、ベース部４１ａと一体に形成されている。通信部は、ベース壁４１ｄと立壁４１ｅの表面に重ねられている。通信部は、ベース壁４１ｄと立壁４１ｅの表面に設けられている。通信部は、金属材料によって構成されている。通信部は、例えばアンテナパターンである。通信部４１ｂには、信号ケーブル４２が電気的に接続されている。
【００４２】
図１０は、図５のＦ１０−Ｆ１０線に沿った第１の電子機器１Ａの一部の断面図である。図５および図１０に示されるように、左前側アンテナ４１Ｂは、孔４１ｆに第１の筐体１１の突起５３が入れられ、孔４１ｇに第１の筐体１１の爪部５４が入れられた状態で、固定部４１ｃが第１の筐体１１のボス６０にネジ等の結合具６３によって固定されている。ボス６０は、円筒状に形成され、内周面に結合具６３が結合する雌ネジが形成されている。
【００４３】
図１１は、実施形態の第１の電子機器１Ａにおける左側アンテナ４１Ｃの下側からの斜視図である。図１２は、実施形態の第１の電子機器１Ａにおける左側アンテナ４１Ｃの上側からの斜視図である。
【００４４】
図１１および図１２に示されるように、左側アンテナ４１Ｃは、左前側アンテナ４１Ｂと同様に、ベース部４１ａと、通信部（不図示）と、を有する。ただし、左側アンテナ４１Ｃには、固定部４１ｃが設けられていない。また、左側アンテナ４１Ｃでは、ベース部４１ａの立壁４１ｅが底面視で略Ｕ字状をなすように形成されている。また、ベース部４１ａには、導電部材４３，４４が接着等によって固定されている。
【００４５】
図５に示されるように、左側アンテナ４１Ｃは、孔４１ｆに第１の筐体１１の突起５５が入れられ、孔４１ｇに第１の筐体１１の爪部５６が入れられた状態で、アンテナホルダ７０によって第１の筐体１１に固定されている。
【００４６】
次に、アンテナホルダ７０について説明する。図１３は、実施形態の第１の電子機器１Ａにおけるアンテナホルダ７０の下側からの斜視図である。図１４は、実施形態の第１の電子機器１Ａにおけるアンテナホルダ７０の上側からの斜視図である。
【００４７】
図１３および図１４に示されるように、アンテナホルダ７０は、ベース部７０ａと、立壁７０ｂと、二つの立壁７０ｃと、収容部７０ｄと、塞部７０ｆと、固定部７０ｇ，７０ｈと、接触部７０ｉと、を有する。アンテナホルダ７０は、合成樹脂材料によって構成されている。
【００４８】
ベース部７０ａは、平面視でＸＹ平面に沿って延びる略四角形に形成されている。ベース部７０ａには、ベース部７０ａをＺ方向に貫通した開口部７０ｅが設けられている。立壁７０ｂ，７０ｃは、ベース部７１における開口部７０ｅの周囲からＺ方向の反対方向へ延びている。立壁７０ｂは、開口部７０ｅのＹ方向の反対方向側に位置されている。二つの立壁７０ｃは，Ｘ方向に間隔を空けて設けられている。二つの立壁７０ｃの間に開口部７０ｅが位置されている。ベース部７０ａと立壁７０ｂ，７０ｃとによって囲まれた空間は、収容部７０ｄを構成する。また、収容部７０ｄは、開口部７０ｅを含む。収容部７０ｄは、左側アンテナ４１Ｃを収容する。
【００４９】
塞部７０ｆは、ベース部７０ａのＹ方向の端部に設けられている。塞部７０ｆは、第１の筐体１１の左壁１１ｇに設けられた開口部１１ｔ（図７）を塞ぐ。固定部７０ｇは、ベース部７０ａからＸ方向に突出している。固定部７０ｇには、孔７０ｇａが設けられている。固定部７０ｈは、ベース部７０ａからＸ方向の反対方向に突出している。固定部７０ｈには、孔７０ｈａ，７０ｈｂが設けられている。接触部７０ｉは、ベース部７０ａのＺ方向側の面に設けられている。
【００５０】
図５に示されるように、上記構成のアンテナホルダ７０は、固定部９０に結合部材６４，６５によって固定されている。結合部材６４，６５は、雌ネジ部材であり、それぞれ、孔７０ｇａ，７０ｈａに入れられた状態で、ボス６１，６２と結合している。また、孔７０ｈｂには、突起６６が入れられている。
【００５１】
図１５は、図５のＦ１５−Ｆ１５線に沿った第１の電子機器１Ａの一部の断面図である。図１５に示されるように、アンテナホルダ７０は、収容部７０ｄの開口部７０ｅに左側アンテナ４１Ｃが入れられた状態で、接触部７０ｉが左側アンテナ４１ＣのＺ方向の反対方向に位置している。接触部７０ｉは、左側アンテナ４１Ｃと接触することにより左側アンテナ４１Ｃを支持し、左側アンテナ４１ＣのＺ方向の反対方向への移動を制限する。また、爪部５６の張出部５６ｂは、左側アンテナ４１ＣのＺ方向の反対方向に位置している。爪部５６は、左側アンテナ４１Ｃと接触することにより左側アンテナ４１Ｃを支持し、左側アンテナ４１ＣのＺ方向の反対方向への移動を制限する。ここで、上壁１１ｄの上面１１ａと爪部５６のＺ方向の反対方向側の端との間の距離Ｈ２は、図１０に示される上壁１１ｄの上面１１ａと結合具６３のＺ方向の反対方向側の端との間の距離Ｈ１よりも短い。
【００５２】
（第２の電子機器１Ｂ）
次に、第２の電子機器１Ｂについて説明する。図１６は、実施形態の第２の電子機器１Ｂにおけるアッパーカバー１４の一部とアッパーカバー１４の一部に取り付けられた部品との底面図である。
【００５３】
図１６に示されるように、第２の電子機器１Ｂは、第１の電子機器１Ａに対して、左側アンテナ４１Ｃが設けられていない点が異なる。すなわち、第２の電子機器１Ｂは、４Ｇ通信は行えるが５Ｇ通信は行えない。
【００５４】
（第３の電子機器１Ｃ）
図１７は、実施形態の第３の電子機器１Ｃにおけるアッパーカバー１４の一部とアッパーカバー１４の一部に取り付けられた部品との下側からの斜視図である。
【００５５】
図１７に示されるように、第３の電子機器１Ｃは、アンテナホルダ７０に替えてカードホルダ８０が設けられている。また、第３の電子機器１Ｃには、左側アンテナ４１Ｃは設けられていない。すなわち、第３の電子機器１Ｃは、４Ｇ通信は行えるが５Ｇ通信は行えない。ただし、第３の電子機器１Ｃは、カードホルダ８０に入れられるカード１００（図２０）とデータ通信を行うことができる。カード１００は、例えば認証用のＩＣカード等である。
【００５６】
図１８は、実施形態の第３の電子機器１Ｃにおけるカードホルダ８０の下側からの斜視図である。図１９は、実施形態の第３の電子機器１Ｃにおけるカードホルダ８０の上側からの斜視図である。図２０は、図１７のＦ２０−Ｆ２０線に沿った第３の電子機器１Ｃの一部の断面図である。図２１は、図１７のＦ２１−Ｆ２１線に沿った第３の電子機器１Ｃの一部の断面図である。なお、図２０，２１には、第３の電子機器１Ｃの他にカード１００が図示されている。
【００５７】
図１８および図１９に示されるように、カードホルダ８０は、ベース部８０ａと、二つの立壁８０ｂと、立壁８０ｃと、二つのガイド部８０ｆと、ブリッジ部８０ｍと、を有する。カードホルダ８０は、合成樹脂材料によって構成されている。
【００５８】
ベース部８０ａは、平面視でＸＹ平面に沿って延びる略四角形に形成されている。二つの立壁８０ｂは、ベース部８０ａのＸ方向側の端部およびＸ方向の反対側の端部からＺ方向に延びている。立壁８０ｃは、ベース部８０ａのＹ方向の反対方向側の端部からＺ方向に延びている。
【００５９】
図１９に示されるように、ブリッジ部８０ｍは、二つの立壁８０ｂに亘って設けられている。図２０に示されるように、ブリッジ部８０ｍは、ベース部８０ａよりもＺ方向に位置されている。ブリッジ部８０ｍには、孔８０ｉが設けられている。
【００６０】
図１９に示されるように、二つのガイド部８０ｆは、二つの立壁８０ｂから互いに近づくように延びている。ガイド部８０ｆは、ベース部８０ａのＺ方向側にベース部８０ａと間隔を空けて位置されている。図２１に示されるように、ガイド部８０ｆは、湾曲状のガイド面８０ｆａを有する。ガイド面８０ｆａは、Ｙ方向に向かうにつれてＺ方向に向かうように凸に湾曲している。
【００６１】
また、図１９に示されるように、カードホルダ８０には、カード収容部８０ｎが設けられている。カード収容部８０ｎは、ベース部８０ａと、二つの立壁８０ｂと、立壁８０ｃと、ブリッジ部８０ｍと、二つのガイド部８０ｆとの内側の空間である。二つのガイド部８０ｆは、カード収容部８０ｎの出入口に位置されている。カード収容部８０ｎは、第１の筐体１１の開口部１１ｔと通じる。カード収容部８０ｎは、カード１００を収容する。
【００６２】
また、図１８に示されるように、カードホルダ８０は、固定部８０ｄ，８０ｅを有する。固定部８０ｄは、Ｘ方向の反対方向側の立壁８０ｂからＸ方向の反対方向に延びている。固定部８０ｄには、孔８０ｄａ，８０ｄｂが設けられている。固定部８０ｅは、Ｘ方向側の立壁８０ｂからＸ方向に延びている。固定部８０ｅには、孔８０ｅａが設けられている。
【００６３】
また、図１８および図１９に示されるように、カードホルダ８０は、二つの位置決め部８０ｈを有する。二つの位置決め部８０ｈは、Ｘ方向に互いに間隔を空けて立壁８０ｃに設けられている。
【００６４】
図１７に示されるように、上記構成のカードホルダ８０は、固定部９０に結合部材６４，６５によって固定されている。結合部材６４，６５は、それぞれ、孔８０ｅａ，８０ｄａに入れられた状態で、ボス６１，６２と結合している。また、孔８０ｄｂには、突起６６が入れられている。また、孔８０ｉには、突起６７が入れられている。また、二つの位置決め部８０ｈが突起６９により固定されている。
【００６５】
ここで、図２０に示されるように、第１の筐体１１の爪部５６における張出部５６ｂのＹ方向の端部には、ガイド面５６ｃが設けられている。ガイド面５６ｃは、Ｙ方向に向かるにつれてＺ方向に向かう。
【００６６】
上記構成のカードホルダ８０では、第１の筐体１１の開口部１１ｔを介してカード収容部８０ｎにカード１００が入れられる。このとき、ガイド部８０ｆのガイド面８０ｆａがカード１００と接触することによりカード１００をカード収容部８０ｎの奥側に案内する。さらに、このとき、爪部５６のガイド面５６ｃがカード１００と接触することによりカード１００をカード収容部８０ｎの奥側に案内する。
【００６７】
以上から分かるように、本実施形態では、固定部９０は、第１の筐体１１に収容された場合に開口部１１ｔを覆い左側アンテナ４１Ｃを支持可能なアンテナホルダ７０と、第１の筐体１１に収容された場合に開口部１１ｔを介してカード１００が挿入されるカードホルダ８０とを択一的に固定可能である。
【００６８】
また、爪部５６は、第１の筐体１１の内部に設けられ、左側アンテナ４１Ｃと接触した場合には左側アンテナ４１Ｃの移動を制限し、カード１００と接触した場合には、カード１００の移動を案内する。
【００６９】
以上のように、本実施形態では、電子機器１は、第１の筐体１１（筐体）と、固定部９０と、を備える。第１の筐体１１には、開口部１１ｔが設けられている。固定部９０は、第１の筐体１１に収容された場合に開口部１１ｔを覆い左側アンテナ４１Ｃ（アンテナ）を支持可能なアンテナホルダ７０と、第１の筐体１１に収容された場合に開口部１１ｔを介してカード１００が挿入されるカードホルダ８０とを択一的に固定可能である。
【００７０】
このような構成によれば、第１の電子機器１Ａと、第２の電子機器１Ｂと、第３の電子機器１Ｃとで、共通の第１の筐体１１を用いることができる。よって、第１の筐体１１の種類が増加するのを抑制することができる。
【００７１】
また、本実施形態では、電子機器１は、第１の筐体１１の内部に設けられ、左側アンテナ４１Ｃと接触した場合には左側アンテナ４１Ｃの移動を制限し、カード１００と接触した場合には、カード１００の移動を案内する爪部５６を備える。
【００７２】
このような構成によれば、左側アンテナ４１Ｃの移動を制限する構成と、カード１００の移動を案内する構成とを別々に設けた場合に比べて、電子機器１の構成を簡素化することができる。
【００７３】
また、本実施形態では、固定部９０は、ボス６１（第１のボス）と、ボス６１と離間したボス６２（第２のボス）と、を有する。爪部５６は、ボス６１からボス６２に向かう方向でボス６１とボス６２との間に位置されている。
【００７４】
このような構成によれば、ボス６１とボス６２とを比較的離間させることができるので、アンテナホルダ７０やカードホルダ８０を強固に固定しやすい。
【００７５】
また、本実施形態では、カードホルダ８０は、カード１００が挿入されるカード収容部８０ｎと、カード収容部８０ｎに挿入されるカード１００の移動を案内するガイド部８０ｆと、を有する。
【００７６】
このような構成によれば、カード１００を容易にカード収容部８０ｎに入れることができる。
【００７７】
また、本実施形態では、アンテナホルダ７０は、左側アンテナ４１Ｃと接触することにより左側アンテナ４１Ｃを支持する接触部７０ｉを有する。
【００７８】
このような構成によれば、接触部７０ｉが左側アンテナ４１Ｃと接触することにより左側アンテナ４１Ｃを支持することができる。
【００７９】
次に、変形例を説明する。図２２は、実施形態の変形例の電子機器１の正面側からの例示的な斜視図である。本変形例では、第１の筐体１１の金属部１５と各樹脂部１６との境界部が凹凸状に形成されている。このような構成によれば、金属部１５と樹脂部１６との接触面積が増大して、金属部１５と樹脂部１６との接合強度が向上しやすい。
【００８０】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等の仕様（構造や、種類、方向、形式、大きさ、長さ、幅、厚さ、高さ、数、配置、位置、材質等）は、適宜に変更して実施することができる。
【符号の説明】
【００８１】
１…電子機器、１１…第１の筐体（筐体）、１１ｔ…開口部、４１Ｃ…左側アンテナ（アンテナ）、５６…爪部、６１…ボス（第１のボス）、６２…ボス（第２のボス）、７０…アンテナホルダ、７０ｉ…接触部、８０…カードホルダ、８０ｆ…ガイド部、９０…固定部、１００…カード。
【要約】
【課題】筐体の種類が多くなるのを抑制しやすい新規な構成の電子機器を得る。
【解決手段】電子機器は、開口部が設けられた筐体と、筐体に収容された場合に開口部を覆いアンテナを支持可能なアンテナホルダと、筐体に収容された場合に開口部を介してカードが挿入されるカードホルダと、を択一的に固定可能に、筐体の内部に設けられた固定部と、を備える。
【選択図】図５【図１】
0006905204.tif 000002
【図２】
0006905204.tif 000003
【図３】
0006905204.tif 000004
【図４】
0006905204.tif 000005
【図５】
0006905204.tif 000006
【図６】
0006905204.tif 000007
【図７】
0006905204.tif 000008
【図８】
0006905204.tif 000009
【図９】
0006905204.tif 000010
【図１０】
0006905204.tif 000011
【図１１】
0006905204.tif 000012
【図１２】
0006905204.tif 000013
【図１３】
0006905204.tif 000014
【図１４】
0006905204.tif 000015
【図１５】
0006905204.tif 000016
【図１６】
0006905204.tif 000017
【図１７】
0006905204.tif 000018
【図１８】
0006905204.tif 000019
【図１９】
0006905204.tif 000020
【図２０】
0006905204.tif 000021
【図２１】
0006905204.tif 000022
【図２２】
0006905204.tif 000023